(57)【要約】【課題】指向性の光を放出する光源を備える照明装置において、照明範囲を拡大することが可能な照明装置を提供する。【解決手段】本体部１０と、本体部１０に取り付けられ、本体部１０の一端から指向性の光を放出する光源２０と、一端を覆うように本体部１０に取り付けられ、本体部１０の一端から放出された光を反射させて拡散させるレンズ部３０と、を有する。【選択図】  図１
2011009145.tif 000002
【特許請求の範囲】
【請求項１】
本体部と、
前記本体部に取り付けられ、前記本体部の一端から指向性の光を放出する光源と、
前記一端を覆うように前記本体部に取り付けられ、前記本体部の前記一端から放出された光を反射させて拡散させるレンズ部と、
を有する照明装置。
【請求項２】
前記レンズ部は、球体である、請求項１に記載の照明装置。
【請求項３】
前記レンズ部の表面に凹凸が形成されている、請求項２に記載の照明装置。
【請求項４】
前記凹凸の高低差が０．２μｍ〜１０μｍの範囲内であり、かつ前記凹凸の互いに隣接する凸部のピッチが５μｍ〜１５０μｍの範囲内である、請求項３に記載の照明装置。
【請求項５】
前記光源は、発光ダイオードである、請求項１から請求項４までのいずれか１項に記載の照明装置。
【発明の詳細な説明】
【技術分野】
【０００１】
本発明は、指向性の光を放出する光源を備える照明装置に関する。
【背景技術】
【０００２】
照明装置では、蛍光灯の光や白熱電球の光が一般的に照明光として用いられているが、近年では、蛍光灯や白熱電球よりも低消費電力で長寿命なＬＥＤ（Light Emitting Diode）の光を用いることが提案されている。
【０００３】
図４は、ＬＥＤの光を照明光とする照明装置の配光範囲を示す図である。また、図５は、白熱電球の光を照明光とする照明装置の配光範囲を示す図である。図４に示す照明装置１００および図５に示す照明装置１０１は、室内を照明するための照明装置であり、いずれも床面３００に向かって光を放出するように設置されている。
【０００４】
照明装置１００では、ＬＥＤ１０１が発光すると、出射面１０２から指向性の光が放出される。そのため、照明装置１００の配光範囲４００ｂは、図４に示すように、装置直下に限定される。これにより、照明装置１０１の照明範囲は、装置直下のみとなる。一方、照明装置１０１では、白熱電球１１１が発光すると、白熱電球１１１から無指向性の光が放出される。そのため、照明装置１０１の配光範囲４００ｂは、図５に示すように装置直下だけでなく装置周辺にも及ぶ。これにより、照明装置１０１の照明範囲は装置周辺に及ぶ。
【０００５】
なお、ＬＥＤを光源とする照明装置には、ＬＥＤの光の放出方向にレンズを具備し、このレンズの透過光を照明光とする照明装置が特許文献１に開示されている。特許文献１に開示された照明装置には、ＬＥＤを覆うキャップが設けられ、このキャップの先端に半球状の凸レンズが取り付けられている。そのため、この照明装置では、凸レンズによってＬＥＤの光が集められるので、特定の方向をより明るくすることが可能になる。
【先行技術文献】
【特許文献】
【０００６】
【特許文献１】実用新案登録第３０８４４６１号公報
【発明の概要】
【発明が解決しようとする課題】
【０００７】
室内照明用の照明装置として照明装置１０１を照明装置１００に置き換えた場合、光源がＬＥＤに替わるので低消費電力および長寿命という効果を奏する。しかし、照明装置１００は上述したように装置直下のみを照明するので、照明範囲が照明装置１０１よりも狭くなるという問題が起こり得る。この問題は、特許文献１に記載の照明装置のように半球状の凸レンズをＬＥＤの光の放出方向に取り付けても特定の方向が明るくなるだけなので解決できない。
【０００８】
本発明は、指向性の光を放出する光源を備える照明装置において、照明範囲を拡大することが可能な照明装置を提供することを目的とする。
【課題を解決するための手段】
【０００９】
上記目的を達成するための本発明による照明装置は、本体部と、前記本体部に取り付けられ、前記本体部の一端から指向性の光を放出する光源と、前記一端を覆うように前記本体部に取り付けられ、前記本体部の前記一端から放出された光を反射させて拡散させるレンズ部と、を有する。
【発明の効果】
【００１０】
本発明の照明装置によれば、光源から指向性の光が放出されてもこの光はレンズ部で反射して拡散する。これにより、配光範囲が装置直下だけでなく装置周囲にも及ぶので、照明範囲が装置周囲まで拡大する。よって、照明範囲を拡大することが可能となる。
【図面の簡単な説明】
【００１１】
【図１】本発明の照明装置の一実施形態を示す図である。
【図２】本実施形態の照明装置の配光範囲を示す図である。
【図３】本実施形態の照明装置にフロスト加工が施された場合のレンズ部の表面の一部を拡大して示した図である。
【図４】ＬＥＤの光を照明光とする照明装置の配光範囲を示す図である。
【図５】白熱電球の光を照明光とする照明装置の配光範囲を示す図である。
【発明を実施するための形態】
【００１２】
図１は、本発明の照明装置の一実施形態を示す図である。図１に示すように、本実施形態の照明装置１は、室内を照明するための照明装置であり、本体部１０と、光源２０と、レンズ部３０と、コード４０と、吊り下げ器具５０と、を有する。なお、図１は、本体部１０の内部を露出した状態で示している。
【００１３】
照明装置１は、天井２００に設置された電力供給用の器具（不図示）に吊り下げ器具５０を取り付ける吊り下げタイプの照明装置である。照明装置１では、電力供給用の器具からの電力が、吊り下げ器具５０、コード４０を通じて光源２０に供給されることによって、光源２０から指向性の光が放出される。光源２０は、発光ダイオード（ＬＥＤ）であり、本体部１０に取り付けられている。本体部１０は、内部に空間が形成され、一端が開口している。この開口している一端は光源２０の光を放出する出射面１１として機能する。すなわち、光源２０は、出射面１１に向かって光を放出するように本体部１０の内部空間に取り付けられている。なお、本体部１０には、光源２０を発光させるための回路（不図示）が設置されている。また、本体部１０の他端にはコード４０が取り付けられている。
【００１４】
本体部１０には、出射面１１（開口している一端）を覆うようにレンズ部３０が取り付けられている（図１参照）。レンズ部３０は、例えば、ガラス、アクリル、ポリカーボネートなどの透明な材料を球体に加工したものである。
【００１５】
上記のように構成された照明装置１では、光源２０が発光すると、本体部１０の出射面１１から指向性の光が放出される。放出された光は、球体のレンズ部３０で反射して拡散する。
【００１６】
図２は、照明装置１の配光範囲を示す図である。図２では、照明装置１は床面３００に向かって光を放出するように設置されている。照明装置１では、光源２０の光が球体のレンズ部３０で拡散されるので、図２に示す配光範囲４００ａは、図３に示す配光範囲４００ｂと図４に示す配光範囲４００ｃとを足し合わせたようになる。すなわち、ＬＥＤを光源とする点で共通する照明装置１００と照明装置１において、照明装置１００の照明範囲が装置直下だけであるのに対し、照明装置１の照明範囲は、装置直下だけでなく装置周囲にも及ぶ。よって、照明装置１は、ＬＥＤを光源としているにもかかわらず、照明範囲を、白熱電球を光源とする照明装置１０１と同等の広さまで拡大できる。
【００１７】
なお、照明装置１は吊り下げタイプであったが、本発明の照明装置は、このタイプに限定されない。本発明は、例えば、天井に設置された電力供給用の器具に直接取り付ける直付け型の照明装置や、壁に設置された電力供給用の器具に直接取り付ける壁付け型照明装置に適用できる。
【００１８】
また、本発明では、レンズ部３０の表面に微細な凹凸を形成する加工（フロスト加工）が施されていてもよい。例えばレンズ部３０がガラスの場合、フッ酸を主成分とする化学薬品を使用することでレンズ部３０の表面に微細な凹凸を形成できる。このとき、図３に示すように、凹凸の高低差Ｒｚ（ＤＩＮ）が０．２μｍ〜１０μｍの範囲内で、かつ凹凸の互いに隣接する凸部のピッチＰ（山の頂上の間隔）が５μｍ〜１５０μｍの範囲内となるように加工することで、装置直下を照明する光の照度と、装置周辺を照明する光の照度のバランスを調整することが可能となる。なお、図３は、照明装置１にフロスト加工が施された場合のレンズ部３０の表面の一部を拡大して示した図である。
【００１９】
また、本発明では、照明範囲を拡大させるためにレンズ部３０は球体に限定されず、出射面１１から放出された光を反射させて拡散させる形状であればよい。例えば、レンズ部３０の形状は、楕円体であってもよい。
【００２０】
また、本発明では、光源２０を本体部１０の端部に取り付け、光源２０とレンズ部３０とを接着させた形態であってもよい。このような形態であっても、光源２０の光をレンズ部３０で反射させて拡散できるので、照明範囲を拡大できる。
【符号の説明】
【００２１】
１、１００、１１０  照明装置
１０  本体部
１１、１０２  出射面
２０  光源
３０  レンズ部
４０  コード
５０  吊り下げ器具
１０１  ＬＥＤ
１１１  白熱電球
２００  天井
３００  床面
４００ａ、４００ｂ、４００ｃ  配光範囲
【図１】
2011009145.tif 000003
【図２】
2011009145.tif 000004
【図３】
2011009145.tif 000005
【図４】
2011009145.tif 000006
【図５】
2011009145.tif 000007